(57)【要約】支持構造体及び複数の商品販売トレーを含む、商品を陳列及び販売するための販売機。一実施形態において、支持構造体は、支持基部を画定する各平行面に連結する水平軸上に取り付けられる中空円筒状容器を含む。容器は、容器の周縁に接続される複数の区分を有する囲壁によって形成される。それぞれの区分は、径方向に取り付けられた内側トレー上で連続的に接触して収容され、ばねで動作する押し具からの応力を受けて窓を通って後退止め具まで落下する複数の商品のうちの第１の商品を正面向きに保持する入来止め具上で１つの商品の厚さをわずかに超える程度まで遠位において折り曲げられるフランジをそのより大きな縁から立ち上げる、商品を陳列及び販売するための横長の長方形部分を有する。
2015523173.tif 000002
【特許請求の範囲】
【請求項１】
商品を陳列及び自動販売するための商品販売機ディスプレイであって、
最大寸法を有する開口部を画定する支持構造体と、
前記支持構造体の前記開口部内に取り付け可能な複数の組の商品販売カセットであって、それぞれのカセットが、フェースプレート区分と、商品を支持するためのトレーと、を含み、それぞれのフェースプレート区分が、前記商品を陳列及び販売するための部分を有し、かつ前記支持構造体の前記開口部の前記最大寸法の倍数の因子である長さを更に画定する、複数の組の商品販売カセットと、を備え、
前記フェースプレートの前記長さが、一組の商品販売カセット内では同一であるが、前記支持構造体が前記複数の組をそれぞれ収容することができるように組によって異なる、商品販売機ディスプレイ。
【請求項２】
前記商品を陳列及び販売するための前記部分が窓を画定する、請求項１に記載の商品販売機ディスプレイ。
【請求項３】
それぞれのフェースプレート区分が、前記窓のより大きな縁から外向きに延在するフランジを備え、前記フランジが、１つの商品の厚さをわずかに超える高さを有し、入来後退止め具を形成するように遠位において折り曲げられる、請求項３に記載の商品販売機ディスプレイ。
【請求項４】
前記支持構造体が、
基部と、
前記基部に連結される軸と、
前記軸を中心に自由に回転するように取り付けられた中空円筒状容器であって、前記開口部を画定する、中空円筒状容器と、を備え、
前記複数の組の商品販売カセットが前記中空円筒状容器の全円周を囲むように前記中空円筒状容器に取り付け可能であり、
前記フェースプレート区分のそれぞれの前記長さが弧長を画定し、前記弧長が前記中空円筒状容器の前記円周の倍数の因子である、請求項１に記載の商品販売機ディスプレイ。
【請求項５】
前記円筒状容器が２つの円盤を含む、請求項４に記載の商品販売機ディスプレイ。
【請求項６】
前記中空円筒状容器の前記２つの円盤が複数の径方向の突起部の対を有する内面を備え、前記第１及び第２の組の前記複数の商品販売カセットのそれぞれの前記カセットが前記径方向の突起部の対上に取り外し可能に定着される、請求項５に記載の商品販売機ディスプレイ。
【請求項７】
前記第１及び第２の組の前記複数の商品販売カセットのそれぞれのトレーが、床部と、前記商品を受容する筐体を画定するために前記床部の両端に配設される側壁と、それぞれのフェースプレートの前記窓に向かって商品を押すために前記筐体内で移動可能な横方向押し仕切と、を備える、請求項６に記載の商品販売機ディスプレイ。
【請求項８】
前記第１及び第２の組の前記複数の商品販売カセットのそれぞれのトレーが、前記横方向押し仕切をそれぞれのフェースプレートの前記窓に向かって付勢するための少なくとも１つのばねと、前記筐体を封入する取り外し可能な蓋と、を更に備える、請求項６に記載の商品販売機ディスプレイ。
【請求項９】
前記支持構造体が、基部及び前記基部の両端から上向きに延在する２つの横方向側壁を画定する垂直フレームを備える、請求項１に記載の商品販売機ディスプレイ。
【請求項１０】
商品を陳列及び販売するための方法であって、
基部と、前記基部に連結される軸と、前記軸を中心に自由に回転するように取り付けられる中空円筒状容器と、を含む、単一の販売デバイスを提供する工程と、
第１の組の複数の商品販売カセットを、前記中空円筒状容器の全円周を囲むように前記デバイスの前記中空円筒状容器に取り付ける工程であって、それぞれのカセットが、フェースプレート区分と、商品を支持するためのトレーと、を含み、それぞれのフェースプレート区分が、前記商品を陳列及び販売するための部分を有し、前記中空円筒状容器の前記円周の倍数の因子である第１の弧長を更に画定する、工程と、
前記第１の組の複数の商品販売カセットを前記デバイスから取り外す工程と、
第２の組の複数の商品販売カセットを、前記中空円筒状容器の前記全円周を囲むように前記デバイスの前記中空円筒状容器に取り付ける工程であって、それぞれのカセットが、フェースプレート区分と、商品を支持するためのトレーと、を含み、それぞれのフェースプレート区分が、前記商品を陳列及び販売するための部分を有し、前記第１の弧長とは異なり、かつ前記中空円筒状容器の前記円周の倍数の因子でもある第２の弧長を更に画定する、工程と、を含む、方法。
【請求項１１】
前記容器が２つの平行な円盤及び円周方向に包囲する壁によって画定される、請求項１０に記載の方法。
【請求項１２】
前記取り付ける工程がそれぞれ、前記カセットを前記円盤に定着させることを含む、請求項１１に記載の方法。
【請求項１３】
前記第１の組の複数の商品販売カセットの数が、前記第２の組の複数の平行な販売カセットの数とは異なる、請求項１０に記載の方法。
【請求項１４】
商品を陳列及び自動販売するための商品販売機ディスプレイの組み合わせであって、
基部と、前記基部に連結される軸と、前記軸を中心に自由に回転するように取り付けられる２つの円盤を含む中空円筒状容器と、を含む、第１の販売デバイスであって、前記円盤が第１の円周を画定する、第１の販売デバイスと、
基部と、前記基部に連結される軸と、前記軸を中心に自由に回転するように取り付けられる２つの円盤を含む中空円筒状容器と、を含む、第２の販売デバイスであって、前記第２のデバイスの前記円盤が第２の円周を画定し、前記第２の円周が前記第１の円周とは異なる、第２の販売デバイスと、
前記第１及び第２の販売デバイスの前記中空円筒状容器の前記円周に取り付け可能な複数の商品販売カセットと、を備え、
それぞれの商品販売カセットがフェースプレート区分と、商品を支持するためのトレーと、を含み、それぞれのフェースプレート区分が、前記商品を陳列及び販売するための部分を有し、弧長を更に画定し、前記第１の販売デバイスが第２の数より少ない第１の数の商品カセットを収容し、前記第２の販売デバイスが前記第２の数の販売デバイスを収容するように、前記第１の販売デバイスの前記２つの円盤の前記第１の円周と前記第２の販売デバイスの前記２つの円盤の前記第２の円周との両方が、前記フェースプレートの前記弧長の倍数である、商品販売機ディスプレイの組み合わせ。
【請求項１５】
前記商品を陳列及び販売するための前記部分が窓を画定する、請求項１４に記載の商品販売機ディスプレイの組み合わせ。
【請求項１６】
商品販売カセットのそれぞれのトレーが、床部と、前記商品を受容する筐体を画定するために前記床部の両端に配設される側壁と、それぞれのフェースプレートの前記窓に向かって商品を押すために前記筐体内で移動可能な横方向押し仕切と、を備える、請求項１５に記載の商品販売機ディスプレイの組み合わせ。
【請求項１７】
商品販売カセットのそれぞれのトレーが、前記横方向押し仕切りをそれぞれのフェースプレートの前記窓に向かって付勢するための少なくとも１つのばねと、前記筐体を封入する取り外し可能な蓋と、を更に備える、請求項１６に記載の商品販売機ディスプレイの組み合わせ。
【発明の詳細な説明】
【技術分野】
【０００１】
（関連出願の相互参照）
本出願は、２０１２年８月２４日出願の米国仮特許出願第６１／６９２，８６５号の優先権を主張するものであり、この内容が全体として参照により本明細書に組み込まれる。
【背景技術】
【０００２】
本発明は、概して、商品ディスプレイに関し、より具体的には、商品を陳列及び選択的に取り出すように設計される固体商品販売機ディスプレイに関し、このディスプレイを異なる寸法の商品を陳列するように適合させることができ、ディスプレイ自体が異なる寸法のものであってもよい。
【０００３】
商品を陳列及び販売するための販売トレーは、当該技術分野において周知である。そのようなトレーは、典型的には、その正面に落下する複数のユニットの中からの商品の個別の取り出しを可能にする後退止め具を出入口に有する。商品は、ばねによって押され得るか、その床部のスロープに沿って重力で供給され得る。そのようなトレーは、典型的には、広い正面スペースを占有する、提供される風味の種類と同等の数で棚又は支持構造体の上に陳列される。
【０００４】
そのようなトレーを垂直スタックに陳列することも当技術分野において周知である。しかしながら、多くの異なる商品を陳列するために、これらのスタックの高さは過剰になり得、より高い層に到達することも困難になる。また、スタックの中程にあるトレーの再装填もまた厄介である。
【０００５】
商品販売機の他の既知の種類としては、下部基部に取り出し窓を有する垂直管状封入装置が挙げられる。それぞれのユニットの窓からの取り出しは、後続の商品が窓へ落下することの原因となる。しかしながら、この場合もやはり、様々な商品を陳列するために、提供される風味の種類と同等の多数のディスプレイが必要とされる。これらの商品販売機の弱点は、それらが占有する広い棚スペースである。
【発明の概要】
【発明が解決しようとする課題】
【０００６】
したがって、本発明の１つの目的は、縮小されたスペースを占有しながら、消費者の操作を可能にし、商品が容易に取り出されることを可能にする、新手の装飾的外観を有する固体商品販売機ディスプレイを提供することである。一実施形態において、消費者は、陳列される様々な風味を回転させ、消費者が好む特定の商品で停止することによってディスプレイを操作する。
【０００７】
本発明の他の目的は、残りのトレーに関わらず簡単な動作で種類が激減した商品トレーの容易な再装填を可能にする固体商品販売機ディスプレイを提供することである。
【０００８】
これら及び他の目的は、本発明の適応性のある固体商品販売機ディスプレイを用いて達成される。本発明のディスプレイは、概して、ディスプレイを表面上に静置するための基部を含む支持構造体を含む。支持構造体は、販売される商品を収容する複数のトレーを支持する。
【課題を解決するための手段】
【０００９】
好ましい実施形態において、支持構造体は、概して、基部の水平軸上に取り付けられる中空円筒状容器を含む。容器の基部は円盤であり得る。基部は、支持基部を有する支持物に下方向に接合されるフォークを画定する平行な平面を含む。円筒状容器を包囲する壁は、両円盤の周縁にまたがる複数の区分を含む。これらの区分は、その外面上に固定される円形座金区分によって画定される。これらの区分はそれぞれ、窓から外向きに延在するフランジでそのより大きな縁上に固定され、入来止め具を形成するように遠位において折り曲げられる、例えば窓などの横長の長方形の陳列及び販売部分を有する。フランジは、販売される商品の厚さをわずかに超える高さを有し、入来止め具は、径方向に取り付けられる円筒状容器の内側トレー上に連続的に接触して収容される複数の商品のうちの第１のものを保持する。トレーは、商品を押して窓を通じて誘導する、ばね動作式押し具を含む。窓及びフランジ／入来止め具構成物は、第１の商品が横方向移動を取るように位置されるダブテールガイドを提供する。このデバイスは、消費者が、商品の正面が見える状態で容器を回転することによって、提供される全ての異なる風味を見て、１つの好ましい商品を取ることを可能にする。
【００１０】
好ましい実施形態において、水平軸の端部をきちんと被覆し、広告を収容するプレートを提供する。プレートは好適にはフォークの外平面と重なり合う。
【００１１】
また、商品の再装填は、対応する区分を円筒体を包囲する壁から分解し、トレーの上蓋を取り外し、押し具を格納することによってなされ得る。
【００１２】
本発明の固体商品販売機ディスプレイはまた、異なる寸法の商品を陳列し自動販売するように適合可能である。この場合、ディスプレイは、基部と、基部に連結される軸と、軸を中心に自由に回転するように取り付けられる２つの円盤を含む中空円筒状容器と、中空円筒状容器の全円周を囲むように中空円筒状容器に取り付け可能な第１の組の複数の商品販売カセットと、中空円筒状容器の全円周を囲むように中空円筒状容器に取り付け可能な第２の組の複数の商品販売カセットと、を含む。それぞれのカセットは、フェースプレート区分及び商品を支持するためのトレーを含み、そのフェースプレート区分は商品を陳列及び販売するための窓を有し、更には弧長を画定する。第１の組の商品販売カセットのフェースプレートの弧長は、第２の組の商品販売カセットのフェースプレートの弧長と異なるが、全ての弧長は中空円筒状容器の円周の倍数の因子である。
【００１３】
代替的な実施形態において、支持構造体は、概して、１つのトレーが別のものの上部に配設された状態で、複数の商品販売トレーを縦の配列で支持するための垂直フレームである。この実施形態において、２つ以上の垂直フレームが合わせて組み立てられ、パッドを形成し得る。また、垂直フレーム及び／又はパッドは、完全に多用途の適応性のある陳列システムを形成するように、上述の商品販売機の車輪の実施形態と組み合わせることが可能である。
【００１４】
本発明は更に、商品を陳列及び販売するための方法に関する。本方法は、概して、基部と、基部に連結される軸と、軸を中心に自由に回転するように取り付けられる中空円筒状容器と、を含む単一の販売デバイスを提供する工程を含む。第１の組の複数の商品販売カセットは、中空円筒状容器の全円周を囲むように、このデバイスの中空円筒状容器に取り付けられる。異なる寸法の商品を単一のデバイスで陳列することが所望されるとき、第１の組の複数の商品販売カセットはデバイスから取り外され、第２の組の複数の商品販売カセットが、中空円筒状容器の全円周を囲むように、このデバイスの中空円筒状容器に取り付けられる。それぞれのカセットは、フェースプレート区分及び商品を支持するためのトレーを含み、フェースプレート区分は商品を陳列及び販売するための部分を有し、更には弧長を画定する。第１の組の商品販売カセットのフェースプレートの弧長は、第２の組の商品販売カセットのフェースプレートの弧長と異なるが、全ての弧長は中空円筒状容器の円周の倍数の因子である。
【００１５】
別の実施形態において、本発明は、商品を陳列及び自動販売するための固体商品販売機ディスプレイの組み合わせを提供する。この組み合わせは、基部と、基部に連結される軸と、軸を中心に自由に回転するように取り付けられ、第１の円周を画定する２つの円盤を含む中空円筒状容器と、を含む、第１の販売デバイスを含む。この組み合わせは、基部と、基部に連結される軸と、軸を中心に自由に回転するように取り付けられる２つの円盤を含む中空円筒状容器と、を含む第２の販売デバイスを更に含み、第２のデバイスの円盤は、第１の円周と異なる第２の円周を画定する。第１の数の商品販売カセットは、２つの円盤の第１の円周を全て囲むように第１の販売デバイスの中空円筒状容器に取り付けられ、第２の数の商品販売カセットは、２つの円盤の第２の円周を全て囲むように第２の販売デバイスの中空円筒状容器に取り付けられ、第２の数の商品販売カセットは第１の数の商品販売カセットと異なる。それぞれの商品販売カセットは、フェースプレート区分及び商品を支持するためのトレーを含む。それぞれのフェースプレート区分は商品を陳列及び販売するための部分を有し、それぞれのフェースプレート区分は更には弧長を画定し、第１の販売デバイスの２つの円盤の第１の円周と第２の販売デバイスの２つの円盤の第２の円周との両方は、フェースプレートの弧長の倍数である。
【００１６】
本発明のデバイス及び方法の好ましい実施形態、並びに本発明の他の物体、特徴、及び利点は、添付図面と併せて読まれるべきである以下の詳細な説明から明らかになるであろう。デバイスは添付図面用紙に概略的に図示され、決まった尺度はない。
【図面の簡単な説明】
【００１７】
【図１】本発明の好ましい実施形態に基づく固体商品販売機ディスプレイの斜視図である。
【図２】その側面図である。
【図３】その正面立面図である。
【図４】トレー及び包囲面の対応する区分の分解斜視図である。
【図５】円盤のうちの１つの内面の立面図である。
【図６】包囲面が切り抜きで描かれたトレー設定の側面図である。
【図７】本発明に基づく固体商品販売機ディスプレイに使用される第１の寸法のカセットの斜視図である。
【図８】図７に示されるカセットを取り付けた、本発明に基づく固体商品販売機ディスプレイの部分的断面図である。
【図９】本発明に基づく固体商品販売機ディスプレイに使用される第２の寸法のカセットの斜視図である。
【図１０】図９に示されるカセットを取り付けた、本発明に基づく固体商品販売機ディスプレイの部分的断面図である。
【図１１ａ】３つの異なる寸法で提供される、本発明に基づく固体商品販売機ディスプレイの側面図である。
【図１１ｂ】３つの異なる寸法で提供される、本発明に基づく固体商品販売機ディスプレイの側面図である。
【図１１ｃ】３つの異なる寸法で提供される、本発明に基づく固体商品販売機ディスプレイの側面図である。
【図１２】本発明に基づく固体商品販売機ディスプレイの代替的な実施形態の上面斜視図である。
【図１３】本発明の代替的な実施形態に基づく、いくつかの商品販売カセットの側面図である。
【図１４】図１３に示されるカセットを取り付けた、図１２に示される固体商品販売機ディスプレイの部分的断面図である。
【図１５】カセットの代替的な実施形態を取り付けた、図１２及び図１４に示される固体商品販売機ディスプレイの部分的断面図である。
【図１６】図１３及び図１５に示されるカセットの後面斜視図である。
【図１７】パッドを形成するように合わせて組み立てられた複数の垂直フレームの上面斜視図である。
【図１８】図１７に示されるパッドの平面図である。
【図１９】陳列システムを形成するように合わせて組み立てられた２つのパッドの上面斜視図である。
【図２０】図１９に示される陳列システムの平面図である。
【図２１】別の陳列システムを形成するために、図１に示されるように、回転販売機の実施形態とともに組み合わせられた、図１２〜１７に示される複数の垂直フレーム及びパッドの斜視図である。
【発明を実施するための形態】
【００１８】
本発明の販売機ディスプレイの好ましい実施形態が図１に示される。この実施形態において、本発明の販売機ディスプレイ１００は、概して、円筒状容器の形態であり、水平軸を中心に自由に回転するように取り付けられる支持構造体１と、容器を支持するための基部とを含む。１つの好ましい実施形態において、円筒状容器は、基部としての２つの平行な円盤２、及び２つの平行な円盤２の周縁にまたがって取り付けられる複数の区分３によって形成される円周状囲壁によって画定される。
【００１９】
壁区分３はそれぞれ、横の折り曲げられた区分４を有し、合わせて円形座金区分を２つの平行な円盤２のそれぞれの外表面上に形成する。横の折り曲げられた区分４は、好適には２つの平行な円盤２の適所にねじ５によって装着される。
【００２０】
それぞれの壁区分３は、横の折り曲げられた区分４の間に配設された面によって更に画定される。この面は、以下に更に詳細に説明する通り、長方形型の窓６と共に形成され、それを通じて商品が陳列及び販売される。窓６は、壁区分面から径方向に外向きに延在するフランジ７で、その反対側のより大きな縁上に固定される。これらのフランジ７は、以下に更に詳細に説明する通り、商品（Ｔ）の厚さをわずかに超える高さを有し、互いに向かって内側に遠位において折り曲げられ、径方向に取り付けられた内側トレー上に連続的に接触して収容される複数の商品Ｔのうちの第１のものを、正面向きに保持する入来止め具８を形成する。容器の囲壁の区分のうちの１つの上に、フランジ７のダブテールガイド上の横摺動によって商品（Ｔ）を取り出す方法を、図示する。
【００２１】
容器１を回転自在に支持する軸は、基部のフォークを画定する２つの平行な平面９のそれぞれに連結される。フォークは、支持基部及び据付け１１を有する支持物１０に下方向に接合される。平行な平面は、ブランド又は広告を表示するために、凸状プレート１３をフレームに入れる円形突起部１２を有する外面を好適には含む。
【００２２】
図２は、基部１１に接合された支持物１０を有するフォークの平面９の間に取り付けられた円筒状容器１を示す、販売機ディスプレイの側面図である。図２は、その円形座金区分４が回転する円盤２にねじ５によって固定された区分３を更に示す。図２に更に示されるように、後退止め具８を有するフランジ７は、待機していることが示される商品Ｔを保持するためにダブテールガイドを画定し、広告プレート１３は円形突起部１２によってフレームに入れられる。類似の参照として、図３の正面図は、先行する図の同じ外側のコンポーネンツを示す。
【００２３】
図４は、トレー１４をその後端部の円盤２に定着させるための定着用具１５を有する供給トレー１４の分解斜視図を図示する。トレー１４は、トレー１４の正面端部を囲壁３の対応する区分に弾性タブ１７によって定着させるための付属物１６と共に更に提供される。トレー１４は、床部１９と合わせて、包囲区分３の窓６に向かって移動するように商品が装填されるスペースを画定する２つの側壁１８を有する。商品は、移動可能にトレーのスペース内に配設される押し具２０によって窓６に向かって付勢される。押し具２０は好適には少なくとも１つのばね２１からの応力によって付勢されている。このスペースは、トレーの側壁１８の側部フランジ２３に装着される摺動式ウェッジの上蓋２２によって閉じられる。
【００２４】
トレー１４の側壁１８は、好適には、押し具２０上に形成される付属物の進行を受けてガイドする縦溝２４と共に形成される。溝２４はまた、トレー側壁１８の外部表面上に形成される外側の縦フランジ２５の対の間に収納され得る張力ばね２１に、押し具を連結させる。
【００２５】
図５に、トレー１４をそれぞれ支持するように設計され、トレー１４が突起部２６の側部フランジの間に適応する複数の径方向の突起部２６の対を示すために、円盤２のうちの１つの内面を図示する。図５にも示す通り、それぞれの円盤２は、軸取り付けハブ２７及び複数のスペーサピン２８と共に形成される。軸取り付けハブ２７は、容器の自由回転を可能にするような方法でデバイスの軸を受容し、一方でスペーサピン２８は反対側の円盤２の間の構造的支持を提供する。
【００２６】
図６は、それぞれの円盤２の周縁が、径方向の突起部２６の対応する対上に据付けられるトレー１４と共に見られる、容器１の一部分の中央の縦平面に沿った断面を示す。トレー１４はその後部弾性ロック１５によって定着され、頂部で蓋によって閉じられる。トレー１４は更に、囲壁の対応する区分３に対して正面向きに組み立てられる。図６にも示す通り、折り曲げられた側面区分４は円盤２にねじ５によって固定される。
【００２７】
一列の商品（Ｔ）（点鎖線で描かれる）は、トレー１４の床部１９で受容され、押し具２０によって、ばね２１による付勢のため、窓６の上縁及び下縁から立ち上がるフランジ７の後退止め具８に向かって押される。第１の商品はその正面が見え、側部から取り出される用意ができている。商品の寸法及びフォーマット次第で、横からの取り出しとは対照的に、商品が窓６の正面から取り出されることもまた本発明の範囲内である。
【００２８】
商品（Ｔ）を再装填する必要があるとき、ねじ５を緩め、追加の商品をトレー側壁１８の間のトレー床部１９に装填することによって、トレー１４の全体を車輪２から取り外すことができる。代替的に、トレー１４は車輪２に装着されたままでよく、追加の商品（Ｔ）は押し具２０の付勢動作に逆らって窓６を通じて正面から装填され得る。
【００２９】
本発明の固体商品販売機ディスプレイは、異なる寸法の商品を収容するように適合可能であり、同じ寸法の商品を異なる寸法の車輪で収容するようにも適合可能である。例えば、図７及び図８は、幅Ｗを有する商品Ｔを収容するカセット３０を示す。カセット３０は、トレー１４並びに窓６及び横の折り曲げられた区分４の対を有するフェースプレート３２によって形成される壁区分３を含むという点で上述のものと類似する。この場合、壁区分３は、幅Ｗを有する商品Ｔを窓６内に収容するのに十分な弧長Ｌを有する。弧長Ｌはまた、整数のカセットが車輪の周囲に提供されるように、車輪２の円周Ｃの倍数の因子であるように選択される。例えば、車輪２が６００ｍｍの円周を有し、商品Ｔが３０ｍｍの幅を有する場合、壁区分３の弧長Ｌは、１０個のカセットが車輪の周囲に均一に分配されるように、６０ｍｍであるように便宜上選択され得る。
【００３０】
他方で、例えば、４５ｍｍの幅Ｗ’を有する商品Ｔ’を本発明のデバイスで陳列及び販売する場合、図９及び図１０に示されるように、より大きな寸法のカセット３０’が必要となる。より大きなカセット３０’は、この場合もやはり、トレー１４’並びに窓６’及び横の折り曲げられた区分４’の対を有するフェースプレート３２’によって形成される壁区分３’を含むという点で上述のものと類似する。しかしながら、この場合、壁区分３’は、４５ｍｍの幅Ｗ’を有する商品Ｔ’を窓６’内に収容するのに十分な弧長Ｌ’を有する。ここでも同様に、整数のカセットが車輪の周囲に提供されるように、弧長Ｌ’も車輪２の円周Ｃの倍数の因子であるように選択される。したがって、車輪２が６００ｍｍの円周を有する上述の例において、壁区分３’の弧長Ｌ’は、８個のカセットが車輪の周囲に均一に分配されるように、７５ｍｍであるように便宜上選択され得る。
【００３１】
多数のカセットの寸法が同じ寸法の車輪と共に利用され得ることが理解されよう。結果として、標準の車輪は、同じ車輪が同一の車輪上の商品と異なる商品を陳列及び販売するために使用され得るように、異なる寸法のカセットを使用し得る。したがって、車輪は好適には単一の種類の商品を販売するが、同じ車輪がそれぞれの実例において使用可能である。この改良点において、カセット３０の面留め具３、即ち、カセットの外縁をなす部分は、それぞれの異なる商品の種類に対して変更される。カセットの面留め具はそれぞれの商品の種類に対して異なるため、車輪が同じままである一方、カセットの数は、それぞれの商品に対する面留め具の弧長に基づいて変化する。
【００３２】
図１１ａ、図１１ｂ、及び図１１ｃは、本発明に基づく固体商品販売機ディスプレイ１、１’、１”の適合性に関する別の特徴を示す。この実施形態において、同じ商品カセット３０が異なる直径の車輪２、２’、２”内で使用可能である。これは、スペースが重要視され、小さな車輪が所望される状況においてのことである。車輪２、２’、２”の直径Ａ、Ｂ、Ｃが縮小されるとき、円周に広がるカセット３０の数の縮小があるように、面留め具３の弧長Ｌは同一であることに留意されたい。
【００３３】
これを達成するために、それぞれの車輪の直径Ａ、Ｂ、Ｃは、車輪の円周が結果的にカセット３０のフェースプレート３の弧長Ｌの倍数となるように選択される。例えば、図１１ａに示されるように、弧長が６０ｍｍであるフェースプレート３を有するカセット３０を使用する場合、８４０ｍｍの円周を有する車輪２は１４個のカセットを収容する。そのような車輪の直径Ａは約２６８ｍｍである。
【００３４】
より小さな車輪２’が所望される場合、円周は依然としてカセット３０の弧長Ｌの倍数である数に縮小される。したがって、例えば、図１１ｂに示されるように、７２０ｍｍの円周を有する車輪２’は１２個のカセット３０を収容する。そのような車輪の直径Ｂは約２２９ｍｍである。
【００３５】
更に小さな車輪２”が所望される場合、円周はカセット３０の６０ｍｍの弧長Ｌの倍数である数に再び縮小され得る。したがって、例えば、図１１ｃに示されるように、６００ｍｍの円周を有する車輪２”は、１０個のカセット３０を収容する。そのような車輪の直径Ｃは約１９１ｍｍである。
【００３６】
図１２〜１４は、本発明の販売機ディスプレイの代替的な実施形態を示す。この実施形態において、本発明の販売機ディスプレイ５０は、概して、垂直フレームの形態の支持構造体５２を含む。上記の実施形態に説明する通り、垂直フレーム５２はフレームを表面上に置くための基部５４を含む。この場合、しかしながら、フレーム５２は、基部５４の両端から上向きに延在する２つの横方向側壁５６によって更に画定される。頂部５８は、基部５４と反対側の横方向側壁５６の上端部を接続する。この方法で、フレーム５２は、以下に更に詳細に説明する通り、複数の商品トレー１４ａを縦の配列で装填するための正面開口部６０を画定する。
【００３７】
垂直フレーム５２は、上述の通り、様々な寸法の商品販売トレーを、上述の径方向の配列とは対照的に、縦の配列で支持するように適合される。図１５及び図１６を更に参照して、供給トレー１４ａは、上述の通り、トレー１４ａを垂直フレーム５２のそれぞれの横の壁５６の後端部に定着させるための定着用具１５を有する。トレー１４ａは、トレー１４ａの正面端部を横の壁５６の対応する区分に定着させるための付属物１６と共に更に提供される。
【００３８】
図１５及び図１６に示されるトレー１４ａの本質的に全てのコンポーネンツは、上で説明され、かつ図４及び図６に示されるものと同じである。したがって、トレー１４ａは、床部１９と合わせて、垂直フレーム５２の正面開口部６０に向かって移動するように商品が装填されるスペースを画定する２つの側壁１８を有する。商品は、移動可能にトレーのスペース内に配設される押し具２０によって前方に付勢される。押し具２０は好適には少なくとも１つのばね２１からの応力によって付勢される。このスペースは、トレーの側壁１８の側部フランジ２３に装着される摺動式ウェッジの上蓋２２によって閉じられる。
【００３９】
トレー１４ａの側壁１８は、好適には、押し具２０上に形成される付属物の進行を受けてガイドする縦溝２４と共に形成される。溝２４はまた、トレー側壁１８の外部表面上に形成される外側の縦フランジ２５の対の間に収納され得る張力ばね２１に、押し具を連結させる。
【００４０】
この実施形態において、垂直フレームの横方向側壁５６の反対側の内表面はそれぞれ、トレー１４をそれぞれ支持するように設計され、トレー１４が突起部６２の側部フランジの間に適応する複数の水平な突起部６２の対を含む。図１５は、突起部６２の対応する対上に据付けられるトレー１４ａが見られる、垂直フレーム５２の一部分の中央の縦平面に沿った断面を示す。トレー１４ａはその後部弾性ロック１５によって定着され、頂部で蓋によって閉じられる。トレー１４ａは更に、横方向壁５６の対応する区分に対して正面向きに付属品１６によって組み立てられる。
【００４１】
しかしながら、図１５及び図１６は、別個の壁区分の技術として上述したフランジ及び後退止め具が、トレーボディと一体化して形成される、トレー１４ａの代替的な実施形態を示す。具体的には、それぞれのトレーボディは、長方形型の窓６４を画定し、それを通じて商品が陳列及び販売される。窓６４は、垂直フレーム５２の正面開口部６０から外向きに延在するフランジ６６で、その反対側のより大きな縁上に固定される。これらのフランジ６６は、商品（Ｔ）の厚さをわずかに超える高さを有し、互いに向かって内側に遠位において折り曲げられ、水平に取り付けられた内側トレー上に連続的に接触して収容される複数の商品Ｔのうちの第１のものを正面向きに保持する入来止め具６８を形成する。上述の通り、商品（Ｔ）の取り出しは、フランジ６６のダブテールガイド上の横摺動によって達成される。後退止め具６８を有するフランジ６６は、待機していることが示される商品Ｔを保持するためにダブテールガイドを画定する。
【００４２】
図１２〜１６に示されるように、全てのトレー１４ａを垂直フレーム５２内に装填すると、複数の適切な寸法のフェースプレート７０を使用して正面開口部６０を閉じることができる。フェースプレート７０は、好適にはトレー１４ａの正面端部を受容するための窓を画定する薄い長方形のプレートである。この点で、窓及びプレートの高さは、それぞれのトレー１４ａの寸法に一致するように選択される。フェースプレート７０は、垂直フレーム５２の横方向壁５６に、任意の従来の手法によって留められ得る。例えば、フェースプレートが垂直フレームにスナップ嵌めされ得るように、フェースプレートと横方向壁との間の連携する戻り止め構造体が提供され得る。商品（Ｔ）を再装填する必要があるとき、フェースプレート７０を緩めることができ、定着具１５及び付属物１６を横方向側壁５４から解放することによって、トレー１４ａの全体を垂直フレーム５２から取り外すことができる。
【００４３】
この実施形態の固体商品販売機ディスプレイ５０はまた、異なる寸法の商品を収容するように適合可能である。例えば、図１２〜１４は様々な幅Ｗを有する商品Ｔに対するトレー及びフェースプレートの組み合わせを示し、トレー１４ａ及び／又はフェースプレート７０の幅は、垂直フレーム５２内に形成される突起部６２の間のスペースの倍数である。この方法で、フレーム５２は様々な寸法のトレー１４ａを縦の配列で収容することができる。
【００４４】
この実施形態の固体商品販売機ディスプレイ５０はまた、図１７及び図１８に示されるように、パッド７２を形成するように他の垂直ディスプレイと並べて組み立てられ得る。この場合、２つ以上の垂直フレームが、複数のトレーの縦列を有するパッド状ディスプレイを形成するように、従来の手法によって共に留められ得る。
【００４５】
更に、１つ以上のパッド７２及び／又は１つ以上の垂直ディスプレイ５０は、共に組み合わせられ得るか、図１９〜２１に示されるように、完全に多用途な陳列システム７４を形成するように、上述の通り１つ以上の車輪ディスプレイ１００と組み合わせられ得る。この場合もやはり、垂直フレーム、パッド、及び車輪は、任意の従来の方法によって共に組み立てられ得る。
【００４６】
本発明の好ましい実施形態を添付図面を参照にして本明細書において説明してきたが、本発明はこれらの厳密な実施形態に限定されないこと、様々な他の変更及び修正が当業者によって本発明の範囲又は趣旨から逸脱することなく本明細書において行われ得ること、並びに本発明の範囲内である全てのそのような変更及び修正の権利を主張すると意図されることを理解されたい。
【図１】
2015523173.tif 000003
【図２】
2015523173.tif 000004
【図３】
2015523173.tif 000005
【図４】
2015523173.tif 000006
【図５】
2015523173.tif 000007
【図６】
2015523173.tif 000008
【図７】
2015523173.tif 000009
【図８】
2015523173.tif 000010
【図９】
2015523173.tif 000011
【図１０】
2015523173.tif 000012
【図１１ａ】
2015523173.tif 000013
【図１１ｂ】
2015523173.tif 000014
【図１１ｃ】
2015523173.tif 000015
【図１２】
2015523173.tif 000016
【図１３】
2015523173.tif 000017
【図１４】
2015523173.tif 000018
【図１５】
2015523173.tif 000019
【図１６】
2015523173.tif 000020
【図１７】
2015523173.tif 000021
【図１８】
2015523173.tif 000022
【図１９】
2015523173.tif 000023
【図２０】
2015523173.tif 000024
【図２１】
2015523173.tif 000025
【国際調査報告】
2015523173.tif 000026
2015523173.tif 000027
2015523173.tif 000028